(57)【特許請求の範囲】
【請求項１】
指標を表示する表示器と、前記表示器を制御する制御手段とを備えた車両用表示装置であって、前記制御手段は、前記表示器に前記指標を指示する指針を表示し、前記表示器に前記指標を前記指針の回動範囲に沿って円弧状に前記表示器に表示させる第一の表示位置と、前記指標を前記第一の表示位置の外周に前記指針の回動範囲に沿って円弧状に前記表示器に表示させる第二の表示位置とに表示可能で、通常時は前記第一の表示位置に前記指標を表示し、警告時は前記第二の表示位置に前記指標を表示するとともに、警告情報を前記第二の表示位置の内側に表示することを特徴とする車両用表示装置。
【請求項２】
指標を表示する表示器と、前記指標を指示する指針と、前記表示器を制御する制御手段とを備えた車両用表示装置であって、前記制御手段は、前記表示器に前記指標を前記指針の回動範囲に沿って円弧状に前記表示器に表示させる第一の表示位置と、前記指標を前記第一の表示位置の外周に前記指針の回動範囲に沿って円弧状に前記表示器に表示させる第二の表示位置とに表示可能で、通常時は前記第一の表示位置に前記指標を表示し、警告報知時は前記第二の表示位置に前記指標を表示するとともに、警告情報を前記第二の表示位置の内側に表示することを特徴とする車両用表示装置。
【請求項３】
前記指標は、目盛と文字の少なくとも一方を有することを特徴とする請求項１又は２に記載の車両用表示装置。
【請求項４】
前記第一の表示位置と、前記第二の表示位置の間に仕切りを設けることを特徴とする請求項１から３の何れかに記載の車両用表示装置。
【発明の詳細な説明】
【技術分野】
【０００１】
本発明は、液晶表示器などのフラットパネルディスプレイと呼ばれる表示器で、指針が指示する目盛や文字からなる指標を表示する車両用表示装置に関する。
【背景技術】
【０００２】
従来の車両用表示装置は特許文献１に開示されるものがある。この車両用表示装置は、速度計やエンジン回転計などの指針式計器と、エンジン冷却水温の異常などの車両情報を報知する警告表示部を備えていた。警告表示部は、指針式計器装置の周囲に設けられていた。エンジン冷却水温の異常が発生した時に、警告表示部の光源を点灯させて、異常を報知していた。
【特許文献１】特開２００４−３３８４４６号公報
【発明の開示】
【発明が解決しようとする課題】
【０００３】
しかしながら、従来の車両用表示装置では、警告表示部での表示は、光源の点灯のみであり、警告表示部が目立ちにくいという問題があった。
【０００４】
そこで、本発明は、前述した問題点に着目し、警告表示が目立ち、速やかに運転者に警告を認知させることが可能な車両用表示装置を提供することを目的とするものである。
【課題を解決するための手段】
【０００５】
本発明は、指標を表示する表示器と、前記表示器を制御する制御手段とを備えた車両用表示装置であって、前記制御手段は、前記表示器に前記指標を指示する指針を表示し、前記表示器に前記指標を前記指針の回動範囲に沿って円弧状に前記表示器に表示させる第一の表示位置と、前記指標を前記第一の表示位置の外周に前記指針の回動範囲に沿って円弧状に前記表示器に表示させる第二の表示位置とに表示可能で、通常時は前記第一の表示位置に前記指標を表示し、警告時は前記第二の表示位置に前記指標を表示するとともに、警告情報を前記第二の表示位置の内側に表示するものである。
【０００６】
また、本発明は、指標を表示する表示器と、前記指標を指示する指針と、前記表示器を制御する制御手段とを備えた車両用表示装置であって、前記制御手段は、前記表示器に前記指標を前記指針の回動範囲に沿って円弧状に前記表示器に表示させる第一の表示位置と、前記指標を前記第一の表示位置の外周に前記指針の回動範囲に沿って円弧状に前記表示器に表示させる第二の表示位置とに表示可能で、通常時は前記第一の表示位置に前記指標を表示し、警告報知時は前記第二の表示位置に前記指標を表示するとともに、警告情報を前記第二の表示位置の内側に表示するものである。
【０００７】
また、本発明は、前記指標は、目盛と文字の少なくとも一方を有するものである。
【０００８】
また、本発明は、前記第一の表示位置と、前記第二の表示位置の間に仕切りを設けるものである。
【発明の効果】
【０００９】
本発明によれば、所期の目的を達成でき、警告表示が目立ち、速やかに運転者に警告を認知させることが可能な車両用表示装置を提供することができる。
【発明を実施するための最良の形態】
【００１０】
以下、本発明を適用した実施形態を添付図面に基づいて説明する。
【００１１】
図１及び図２を用いて車両用表示装置の全体構成を説明する。車両用表示装置は、表示器１と、車両情報検出手段２と、シートベルト検出手段３と、制御手段４とから主に構成されている。
【００１２】
表示器１は、ＬＣＤパネルやＥＬパネルあるいはプラズマディスプレイ等のフラットパネルディスプレイからなるものである。
【００１３】
車両情報検出手段２は、車両情報を検出するものであり、本実施形態では、少なくとも車両情報として車両のエンジン回転数と車速を検出するものであって、例えばＴＡパルス及びスピードセンサあるいは車両側ＥＣＵからなる。
【００１４】
シートベルト検出手段３は、シートベルトを着用しているか否かを検出するものである。
【００１５】
制御手段４は、ＣＰＵ、ＲＯＭ、ＲＡＭ及び入出力インターフェイス等を備えたマイクロコンピュータから構成される。制御手段４は、車両情報検出手段２から状態信号を入力し、前記状態信号に基づいて車両情報の計測データを所定の演算処理によって求め、前記計測データに応じた駆動信号を所定周期で表示器１へ出力して表示器１を表示駆動させるものである。また、制御手段４は、シートベルト検出手段３からの信号に基づき表示器１で警告情報を表示するものである。
【００１６】
以上の各部によって車両用表示装置が構成されている。次に、車両用表示装置における警告情報の表示について説明する。
【００１７】
図２は、車両用表示装置１の通常時の表示状態を示すものである。
【００１８】
通常の表示状態では、前記車両情報としてエンジン回転数を表示する第一のアナログ表示部１ａと、前記車両情報として車速を表示する第二のアナログ表示部１ｂとを有する。
【００１９】
第一、第二のアナログ表示部１ａ、１ｂは、それぞれアナログ計器における指針を模した表示像である指針１ａ１、１ｂ１と指標１ａ２、１ａ３、１ｂ２、１ｂ３とを含み、前記各車両情報の変化に応じて指針１ａ１、１ｂ１の表示位置を移動させて前記各車両情報を表示する。なお、指標１ａ２、１ａ３、１ｂ２、１ｂ３の外側に設けた円１ｄ、１ｅは、表示器１に設けた仕切りであり、印刷によって形成されている。
【００２０】
指標１ａ２、１ａ３、１ｂ２、１ｂ３は、目盛１ａ２、１ｂ２と文字１ａ３、１ｂ３とから構成されている。各指標１ａ２、１ａ３、１ｂ２、１ｂ３は、指針１ａ１、１ｂ１の回動範囲に沿って円弧状に表示器１に表示されている。この指標１ａ２、１ａ３、１ｂ２、１ｂ３を表示する位置が第一の表示位置である。
【００２１】
この通常の状態から警告を行う状態となった時を以下に説明する。制御手段４は、シートベルト検出手段３からの信号を検出すると、警告表示が必要と判断し、警告表示を行う。
【００２２】
このとき制御手段４は、図３で示すように、指標１ａ２、１ａ３、１ｂ２、１ｂ３を前記第一の表示位置の外周に位置する第二の表示位置に表示させる。
【００２３】
この第二の表示位置に指標１ａ２、１ａ３、１ｂ２、１ｂ３を表示する時も、指針１ａ１、１ｂ１の回動範囲に沿って円弧状に表示する。
【００２４】
そして、警告情報１ｆ、１ｇを前記第二の表示位置の内側に表示するものである。本実施例では、警告情報１ｆが警告の種類を現す記号であり、警告情報１ｇが警告の内容の説明の表示である。
【００２５】
かかる車両用表示装置は、警告表示が大きく表示されるので、警告表示が目立ち、速やかに運転者に警告を認知させることができる。また、指標１ａ２、１ａ３、１ｂ２、１ｂ３が通常表示していた第一の表示位置から、第二の表示位置に移動することによって、警告表示をより大きく表示することができる。また、指標１ａ２、１ａ３、１ｂ２、１ｂ３が、第一の表示位置から第二の表示位置に表示位置を移動することで、第一のアナログ表示部１ａや第二のアナログ表示部１ｂの表示面積が大きくなり、運転者に注意を促すことができる。
【００２６】
なお、本実施形態では、通常時に第一の表示位置に表示していた全ての目盛１ａ２、１ｂ２と文字１ａ３、１ｂ３を、警告時に第二の表示位置に表示していたが、警告情報１ｆ、１ｇを表示する部分に該当する指標１ａ２、１ａ３、１ｂ２、１ｂ３のみを第一の表示位置から第二の表示位置に切り換えるものであってもよい。エンジン回転数を表示する第一のアナログ表示部１ａの場合は、「３、４、５、６」の文字１ａ３とその目盛１ａ２である。
【００２７】
また、前記実施形態では、指標は、目盛１ａ２、１ｂ２と文字１ａ３、１ｂ３とで構成されていたが、本実施形態に限定されるものではなく、目盛を印刷で形成した仕切りとし、文字１ａ３、１ｂ３のみを第一の表示位置と第二の表示位置とに切り換え表示してもよい。
【００２８】
なお、本実施形態では、警告を必要とする車両情報はシートベルト警報のみであったが、本実施形態に限定されるものではなく、任意の警告を必要とする車両情報に適用可能である。
【００２９】
また、本実施形態においては、表示手段１は、表示像として指針部１ａ１、１ｂ１を表示するものであったが、表示手段１の前方に実体の指針を配置する構造であっても本発明の効果を十分に得ることができる。かかる構造においては、例えば指針を表示手段１の前方に配置される透明基板上に配設し、表示手段１でナビゲーションの表示や、ナイトビジョン（暗視表示）の表示を行う際に前記指針を表示手段１前方から移動させる移動機構を設けることが望ましい。
【図面の簡単な説明】
【００３０】
【図１】本発明の実施形態である車両用表示装置の電気的構成を示す図。
【図２】同上の通常時の車両用表示装置を示す図。
【図３】同上の警告時の車両用表示装置を示す図。
【符号の説明】
【００３１】
１    表示器
１ａ  第一のアナログ表示部
１ａ１  指針
１ａ２  目盛（指標）
１ａ３  文字（指標）
１ｂ  第二のアナログ表示部
１ｂ１  指針
１ｂ２  目盛（指標）
１ｂ３  文字（指標）
１ｄ  仕切り
１ｅ  仕切り
１ｆ  警告情報（記号）
１ｇ  警告情報（説明）
２    車両情報検出手段
３    シートベルト検出手段
４    制御手段
【図１】
0004930717.tif 000002
【図２】
0004930717.tif 000003
【図３】
0004930717.tif 000004